(57)【要約】      （修正有）【課題】２つの導光板を用いながら光源として一列のＬＥＤ発光体で対応でき、ＬＥＤ発光体の発光時に、一方の導光板に装着されたシートに施された表示が他方の導光板側から見た場合に映り込むのを防止して、一方の導光板のシートと他方の導光板のシートとに異なった表示を施すことを可能とした防煙垂壁用ユニットを提供する。【解決手段】防煙垂壁用ユニットにおいて、ＬＥＤ発光体１１は、壁構成部材６の上方に一列にて配置され、壁構成部材６は、導光板６１、６２が基体３の短手方向に沿って２つ並設され、導光板６１、６２の対峙面６１ａ、６２ａが乱反射するように処理され、第１の光拡散シート６３が導光板６１、６２間に介在され、第２の光拡散シート６４、６５が導光板６１、６２のそれぞれに第１の光拡散シート６３の反対側に配置されて導光板６１、６２の立面を覆うと共に、第２の光拡散シート６４、６５に不燃性を有しつつ表示が施されたものとする。【選択図】図５
2020195603.tif 000002
【特許請求の範囲】
【請求項１】
人工構造物の天井に固定された固定部材に取り付けられる不燃材で成る基体と、前記基体に設けられたＬＥＤ発光体と、前記基体に装着されて前記基体から垂下すると共に、前記ＬＥＤ発光体を光源として立面から光を射出させる矩形状の導光板を有する壁構成部材とを備えた防煙垂壁用ユニットであって、
前記ＬＥＤ発光体は、前記壁構成部材の上方に一列にて配置され、
前記壁構成部材は、前記基体を一部に含む不燃性の枠体により、上方、側方及び下方の全周が囲まれており、前記導光板が前記基体の短手方向に沿って２つ並設され、前記２つの導光板の他方の導光板と対峙する面が光の乱反射を生ずるように処理され、透光性を有する第１の光拡散シートが前記２つの導光板の間に介在され、透光性及び光反射性の双方を有する不燃性の第２の光拡散シートが前記２つの導光板のそれぞれに前記光拡散シートが配置された側とは反対側に配置されて、前記導光板の立面を覆うと共に、前記第２の光拡散シートに、不燃性を有しつつ表示が施されていることを特徴とする防煙垂壁用ユニット。
【請求項２】
人工構造物の天井に固定された固定部材と、前記固定部材に取り付けられる不燃材で成る基体と、前記基体に設けられたＬＥＤ発光体と、前記基体に装着されて前記基体から垂下し、前記ＬＥＤ発光体を光源として立面から光を射出させる矩形状の導光板を有する壁構成部材と、を備えた防煙垂壁であって、
前記ＬＥＤ発光体は、前記壁構成部材の上方に一列にて配置され、
前記壁構成部材は、前記基体を一部に含む不燃性の枠体により、上方、側方及び下方の全周が囲まれており、前記導光板が前記基体の短手方向に沿って２つ並設され、前記２つの導光板の他方の導光板と対峙する面が光の乱反射を生ずるように処理され、透光性を有する第１の光拡散シートが前記２つの導光板の間に介在され、透光性及び光反射性の双方を有する不燃性の第２の光拡散シートが前記２つの導光板のそれぞれに前記光拡散シートが配置された側とは反対側に配置されて、前記導光板の立面を覆うと共に、前記第２の光拡散シートに、不燃性を有しつつ表示が施されていることを特徴とする防煙垂壁。
【発明の詳細な説明】
【技術分野】
【０００１】
この発明は、防煙区画を構成するためのもので、壁構成部材を有する防煙垂壁用ユニット及びこの防煙垂壁用ユニットを用いた防煙垂壁であって、壁構成部材に表示を施して避難経路等の案内を表示する機能や装飾の機能を与えたものに関する。
【背景技術】
【０００２】
矩形状の導光板と、前記導光板の縁に沿って設けられたＬＥＤ発光体と、前記導光板を建築物の天井に固定する不燃材の枠体と、前記導光板の表示方向の表面に設けられた不燃材のシートを有して構成されると共に、前記導光板を前記枠体と前記シートとによって覆うことで、導光板をガラスよりも軽量で割れ難い透明なアクリルによって形成することを可能とし、更に、前記導光板又は前記シートの表示方向の表面に案内表示や装飾が施されている防煙垂壁について、特許文献１に示されるように、既に公知となっている。
【０００３】
この特許文献１の防煙垂壁は、前記のように透明なアクリル製の導光板を有して構成されるところ、導光板の表示方向の両面自体又は導光板の表示方向の両面に配置された２つの透光性を有するシートの双方に、導光板から表示方向に向けての透光性を確保しつつ、案内表示や装飾を施した場合には、ＬＥＤを発光させて、導光板の表示方向の一方から見たときに、一方の案内表示や装飾等の表示が他方の案内表示や装飾等の表示に重なるように映り込むという現象が生ずる。
【０００４】
このため、特許文献１の防煙垂壁では、導光板の表示方向の一方の面又は導光板の表示方向の両面に配置される２つの透光性を有するシートの一方にのみ、案内表示や装飾等の表示を施す必要があった。
【０００５】
これに対し、特許文献２として開示された両面発光表示板は、防煙垂壁ではないが、２つの導光板と、導光板間の１枚の両面反射シートと、導光板の両面反射シートとは反対側に配置された２枚の光拡散シートと、導光板の一方の端側に配置されるもので、２列のＬＥＤ及びこれらのＬＥＤが設置された基板からなるエッジライトと、導光板、両面反射シートからなる部位の上側を覆う第１のアルミフレームと、導光板、両面反射シートからなる部位の下側並びに前記エッジライトを覆う第２のアルミフレームとで成り、導光板の両面反射シート側に光転換部が設けられた構成となっている。そして、特許文献２の両面発光表示板では、両面表示板の光拡散シートよりも外側となる表面と裏面との双方に透光性のある印刷物が貼り付けられたものとしても良いとされている。
【０００６】
これにより、２つの導光板の間に光を通さない両面反射シートが配置されているので、一方の導光板の表示方向に記された案内や装飾が他方の導光板の表示方向から見た場合に映り込むことが防止される。よって、特許文献２の両面発光表示板は、一方の導光板の外側面に配置された光拡散シートに貼り付けられた透光性のある印刷物と、他方の導光板の外側面に配置された光拡散シートに貼り付けられた印刷物とで、それぞれ異なった案内や装飾等の表示を施すことが可能である。
【先行技術文献】
【特許文献】
【０００７】
【特許文献１】特開２０１８−９９４８８号公報
【特許文献２】特開２０１１−２８０１８号公報
【発明の概要】
【発明が解決しようとする課題】
【０００８】
しかしながら、特許文献２に示される両面発光表示板は、２つの導光板への光源として、２列のＬＥＤ発光体を必要とする。このため、電気回路が異なる等して、一方の列のＬＥＤ発光体と他方の列のＬＥＤ発光体とで輝度等が異なる場合がある。これにより、両面発光表示板の表側と裏側とでは明るさが異なるという不具合が生ずるおそれがある。しかも、ＬＥＤ発光体を２列も必要とすることから、両面発光表示板の製造コストが高額化するという不都合もある。
【０００９】
更に、特許文献２に示される両面発光表示板は、建物の天井から所定寸法（例えば、５０ｃｍ（政令第２８条第１項に掲げる防火対象物にあっては８０ｃｍ））以上にて垂下する防煙垂壁として用いられることを目的としておらず、光拡散シートや、この光拡散シートに貼り付けられる印刷物について、建築基準法施行令第１０８条の２で定める不燃材で形成されているとは明示されていない。
【００１０】
本発明は、上記課題を解決するためになされたものであって、２つの導光板を用いながら、光源として一列のＬＥＤ発光体で対応でき、ＬＥＤ発光体の発光時に、一方の導光板の側方外面に装着された不燃性のシートに施された文字や図等の表示が、他方の導光板の側方外面から見た場合に映り込むのを防止して、一方の導光板の側方外面に配置したシートと他方の導光板の側方外面に配置したシートとに、異なった表示を施すことを可能とした防煙垂壁用ユニット及び防煙垂壁を提供することを目的としている。
【課題を解決するための手段】
【００１１】
上記目的を達成すべく、請求項１に記載の防煙垂壁用ユニットは、人工構造物の天井に固定された固定部材に取り付けられる不燃材で成る基体と、前記基体に設けられたＬＥＤ発光体と、前記基体に装着されて前記基体から垂下すると共に、前記ＬＥＤ発光体を光源として立面から光を射出させる矩形状の導光板を有する壁構成部材とを備えた防煙垂壁用ユニットであって、前記ＬＥＤ発光体は、前記壁構成部材の上方に一列にて配置され、前記壁構成部材は、前記基体を一部に含む不燃性の枠体により、上方、側方及び下方の全周が囲まれており、前記導光板が前記基体の短手方向に沿って２つ並設され、前記２つの導光板の他方の導光板と対峙する面が光の乱反射を生ずるように処理され、透光性を有する第１の光拡散シートが前記２つの導光板の間に介在され、透光性及び光反射性の双方を有する不燃性の第２の光拡散シートが前記２つの導光板のそれぞれに前記光拡散シートが配置された側とは反対側に配置されて、前記導光板の立面を覆うと共に、前記第２の光拡散シートに、不燃性を有しつつ表示が施されていることを特徴としている。導光板は、例えばガラスよりも軽量のアクリル等の透光性に優れた透明樹脂で形成されていることが望ましい。導光板の面が光の乱反射を生ずるように導光板に行う処理とは、例えばシルク印刷により複数のドット（凸部）を導光板の面に形成する処理である。基体や第２の光拡散シートは、建築基準法施行令第１０８条の２で定める不燃材で形成されている。すなわち、第２の光拡散シートは、例えば耐熱処理がされたガラスクロスのシートである。第２の光拡散シートに不燃性を有しつつ表示が施されるとは、不燃性の第２の光拡散シートに不燃材の顔料や塗料で、案内（サイン）等の情報発信として機能する表示や絵や図形等の装飾として機能する表示が施されることを示す。
【００１２】
請求項２に記載の防煙垂壁は、人工構造物の天井に固定された固定部材と、前記固定部材に取り付けられる不燃材で成る基体と、前記基体に設けられたＬＥＤ発光体と、前記基体に装着されて前記基体から垂下し、前記ＬＥＤ発光体を光源として立面から光を射出させる矩形状の導光板を有する壁構成部材と、を備えた防煙垂壁であって、前記ＬＥＤ発光体は、前記壁構成部材の上方に一列にて配置され、前記壁構成部材は、前記基体を一部に含む不燃性の枠体により、上方、側方及び下方の全周が囲まれており、前記導光板が前記基体の短手方向に沿って２つ並設され、前記２つの導光板の他方の導光板と対峙する面が光の乱反射を生ずるように処理され、透光性を有する第１の光拡散シートが前記２つの導光板の間に介在され、透光性及び光反射性の双方を有する不燃材で成る第２の光拡散シートが前記２つの導光板のそれぞれに前記光拡散シートが配置された側とは反対側に配置されて、前記導光板の立面を覆うと共に、前記第２の光拡散シートに、不燃性を有しつつ表示が施されていることを特徴としている。導光板は、例えばガラスよりも軽量のアクリル等の透光性に優れた透明樹脂で形成されていることが望ましい。導光板の面が光の乱反射を生ずるように導光板に行う処理とは、例えばシルク印刷により複数のドット（凸部）を導光板の面に形成する処理である。基体や第２の光拡散シートは、建築基準法施行令第１０８条の２で定める不燃材で形成されている。すなわち、第２の光拡散シートは、例えば耐熱処理がされたガラスクロスのシートである。第２の光拡散シートに不燃性を有しつつ表示が施されるとは、不燃性の第２の光拡散シートに不燃材の顔料や塗料で、案内（サイン）等の情報発信として機能する表示や絵や図形等の装飾として機能する表示が施されることを示す。
【００１３】
このような防煙垂壁用ユニット及び防煙垂壁とすることにより、２つの導光板の対峙する面のうち光の乱反射がされる部位（凸部）では、ＬＥＤ発光体から導光板内を通過してきた光を導光板内に向けて乱反射させることができる。一方で、２つの導光板は、導光板の対峙する面のうち光の乱反射がされない部位（凸部がない部位）では、一方の導光板内を通過してきた光を他方の導光板内に向けて射出させることができる。そして、ＬＥＤ発光体から射出された後、２つの導光板の対峙する面から射出された光が２つの導光板の対峙する面により反射される光よりも少なくても、第１の光拡散シートを通る間に光が拡散されつつ、他方の導光板内に入射されるので、ＬＥＤ発光体が一列でも光量を確保することが可能である。その一方で、２つの導光板の間に可視光に対し透明性の低い乃至半透明の第１の光拡散シートを介在させることで、２つの導光板の間に何も介在していない場合よりも、一方の導光板から他方の導光板に送られる光量は減衰させられる。
【００１４】
また、防煙垂壁の壁構成部材は、不燃性の枠体により、上方、側方及び下方の全周が囲まれ、導光板の立面を不燃性の第２の光拡散シートで全面的に覆うようになっていると共に、第２の光拡散シートに不燃性を有しつつ表示が施されているので、導光板をアクリル樹脂等の建築基準法施行令第１０８条の２で定める不燃材に該当しない材料で形成し、第２の光拡散シートに表示を施しても、防煙垂壁用ユニット及び防煙垂壁の全体としては、不燃性に対する適合が認められる。しかも、導光板をアクリル樹脂等のガラスよりも軽量で破損し難い透明樹脂で形成することにより、地震などの不測の事態で、壁構成部材が天井から落下した場合に、防煙垂壁の下にいる人に当たっても大きな怪我が生ずるのを防止することが可能であり、また、壁構成部材が床面に当たって飛散するのも防止することができる。
【００１５】
更に、防煙垂壁用ユニットは、既に設置状態の防煙垂壁のガラス製の導光板と交換するかたちで取り付けることも可能である。
【発明の効果】
【００１６】
以上に述べたように、本発明によれば、２つの導光板の対峙する面のうち光の乱反射がされる部位では、ＬＥＤ発光体から導光板内を通過してきた光を導光板内に向けて乱反射させることができる。一方で、２つの導光板は、導光板の対峙する面のうち光の乱反射がされない部位では、一方の導光板内を通過してきた光を第１の光拡散シートを通過させて、他方の導光板内に向けて射出させることができる。そして、一方の導光板から射出された光が第１の光拡散シート６３を通過す間に拡散されて他方の導光板内に入射されるので、ＬＥＤ発光体が一つでも光量を確保することが可能である。よって、導光板が２つでもＬＥＤ発光体を導光板の境界上に一列に配置した構成とすることができるので、ＬＥＤ発光体を導光板の数に応じて２列とする場合よりも防煙垂壁用ユニット及び防煙垂壁の製造コストを抑制することが可能である。
【００１７】
そして、本発明によれば、２つの導光板の間に可視光に対し透明性の低い乃至半透明の第１の光拡散シートを介在させることにより、２つの導光板の間に何も介在していない場合よりも、一方の導光板から他方の導光板に入る光量は減衰する。よって、ＬＥＤ発光体から射出された後、２つの導光板の対峙する面で反射して第２の光拡散シートがある立面から射出される光の光量について、第１の光拡散シートを通過して一方の導光板から他方の導光板に入射して第２の光拡散シートがある立面から射出される光の光量よりも勝ったものとすることができる。しかるに、ＬＥＤ発光体が点灯しているときには、一方の第２の光拡散シートと他方の第２の光拡散シートとで、相互に裏映りして見難くなることが防止されるので、一方の第２の光拡散シートと他方の第２の光拡散シートとで、異なる表示を施すことが可能となる。
【００１８】
また、本発明によれば、壁構成部材は、不燃性の枠体により、上方、側方及び下方の全周が囲まれ、導光板の立面を不燃性の第２の光拡散シートで全面的に覆うようになっていると共に、第２の光拡散シートに不燃性を有しつつ表示が施されているので、導光板をアクリル樹脂等の不燃材に該当しない材料で形成し、第２の光拡散シートに表示を施しても、防煙垂壁用ユニット及び防煙垂壁の全体としては、不燃性に対する適合が認められる。しかも、導光板をアクリル樹脂等のガラスよりも軽量で破損し難い透明樹脂で形成することにより、地震などの不測の事態で、壁構成部材が天井から落下した場合に、防煙垂壁の下にいる人に当たっても大きな怪我が生ずるのを防止することが可能であり、また、壁構成部材が床面に当たって飛散するのも防止することができる。
【図面の簡単な説明】
【００１９】
【図１】この発明の防煙垂壁の全体の構成を示す説明図であり、（ａ）は前記防煙垂壁の正面図、（ｂ）は前記防煙垂壁の底面図である。
【図２】前記防煙垂壁の全体の構成を示す側面図である。
【図３】前記防煙垂壁の全体の構成を示す斜視図である。
【図４】吊り金具を用いて前記防煙垂壁同士を連接する工程を示した説明図である。
【図５】この発明の防煙垂壁用ユニットの構成を示す説明図である。
【図６】前記防煙垂壁用ユニットの部分拡大図である。
【図７】前記防煙垂壁用ユニットの導光板へのシルク印刷加工による、各導光板におけるＬＥＤ発光体を光源とした光の反射、透過、拡散を単純化して示した説明図である。
【図８】前記防煙垂壁用ユニットの導光板間に配置された第１の光拡散シートによる、壁構成部材全体におけるＬＥＤ発光体を光源とした光の反射、透過、拡散を単純化して示した説明図である。
【図９】前記防煙垂壁用ユニットの壁構成部材において、ＬＥＤ発光体を光源とした光が第１の光拡散シートを透過するときと第２の光拡散シートを透過するときとの複数回にわたって拡散することを単純化して示した説明図である。
【発明を実施するための形態】
【００２０】
以下、この発明の実施形態について添付図面を参照しながら説明する。この発明に係る防煙垂壁１は、建物、地下街、地下鉄の駅構内等の人工構造物の天井Ｃに設置されることにより、防煙区画を構成するものである。
【００２１】
図１から図９で示される防煙垂壁１は、固定部材２と、基体３、側枠４、下枠５及び壁構成部材６から成る防煙垂壁用ユニットＵと、防煙垂壁用ユニットＵを固定部材２に固定するための吊り金具７とを少なくとも有して構成されている。更に、複数の防煙垂壁用ユニットＵないし防煙垂壁１を連接して延長させる場合には、この実施例では、吊り金具８が用いられている。これらの固定部材２、防煙垂壁用ユニットＵのうちの基体３、側枠４、下枠５及び吊り金具７、８は、建築基準法施行令第１０８条の２で定める不燃材で形成されている。なお、壁構成部材６に関する材料並びに不燃性への適合に関しては後述する。
【００２２】
固定部材２は、図２や図３、図４に示されるように、人工建造物の天井Ｃに固定されるものであり、天井レール等とも称され、横方向に長尺の収容部２１を有している。収容部２１は、側壁部２１１、２１１と、これらの側壁部２１１、２１１間に架設された中壁部２１２とで基本的に構成されている。固定部材２の側壁部２１１、２１１１及び中壁部２１２により、防煙垂壁用ユニットＵの特に基体３に該当する部位を収容することが可能な収容空間Ｓ１が内部に画成されている。
【００２３】
収容空間Ｓは、収容部２１の軸方向の両側と下方とが開放されている。側壁部２１１、２１１は、中壁部２１２よりも下方において、下記する吊り金具７の掛吊部材７１が挿入・載置される突出部２１１ａ、２１１ａが対峙するかたちで収容空間Ｓ内に延出されている。側壁部２１１、２１１は、突出部２１１ａ、２１１ａよりも下方、すなわち収容空間Ｓの下方開放口端にも、突出部２１１ｂ、２１１ｂが対峙するかたちで形成されている。
【００２４】
そして、固定部材２は、収容部２１の側方の両側に先端が上方に向けてＬ字状に折れ曲がったフランジ部２２、２２が形成されている。天井Ｃの開口部Ｈの周縁にフランジ部２２、２２の先端面が当接することで、固定部材２ひいては防煙垂壁１を支持している。もっとも、図示しないが、固定部材２をビス等で天井Ｃに固定するようにしても良い。
【００２５】
防煙垂壁用ユニットＵを構成する基体３は、例えばアルミニウム等の金属を材料として構成されており、壁構成部材６を囲む枠体の一部（上枠ないし天井側枠）として機能するものである。この基体３は、Ｃチャンネル等とも称され、特に図５、図６に示されるように、上枠部３１と、上枠部３１の短手方向の両側から下方に延びる側枠部３２、３３とで基本的に構成されている。すなわち、基体３は、断面が、下方（床面側）と側方とに開口した逆Ｕ字状をなしている。
【００２６】
基体３の上枠部３１の下面には、基板１０が設けられ、この基板１０には、図２、図５、図６等に示されるように、光源として複数のＬＥＤ発光体１１が、基板１０に１列の条状に取り付けられている。ＬＥＤ発光体１１は、図２等では、壁構成部材６の厚み方向の中心（第１の光拡散シート６３の真上）に配置されているが必ずしもこれに限定されず、導光板６３側又は導光板６４側にずれていても良い。そして、図３に示されるように、基板１０から固定部材２の中壁部２１２に設けた通孔１２を通って、固定部材２の上方に引き出されたコード１３、１４が、コネクタ１５、１６を介してスイッチグン電源等の電源機器１７に接続されて、電気をＬＥＤ発光体１１に供給している。基体３には、光ムラをなくすためにＬＥＤ発光体１１の下方に所定の間隔を空けて壁構成部材６の上側部位が収容されるようになっている。壁構成部材６の上側部位は、この実施例では、特に図５、図６に示されるように、ブロック状の介在部材９、９を介して、基体３に固定されている。
【００２７】
防煙垂壁用ユニットＵを構成する側枠４は、例えばアルミニウム等の金属を材料として構成されており、２つの側板４１、４１と、図示しないが側板４１、４１間の中間板とで、断面が略コ字状ないし略Ｈ字状をなし、壁構成部材６の側方縁部に装着されることで、壁構成部材６を囲む枠体の一部として機能するものである。なお、この実施例では、図示しない中間板には、壁構成部材６の装着側の面に、吊り金具７の下記する連結棒７３が収まる凹部ないし空間が形成されて、壁構成部材６に側枠４を装着した際に、吊り金具７の連結棒７３が妨げにならないようになっている。更に、側枠４は、上方となる先端側に基体３と接続する天井側接続部（図示せず）と、下方となる基端側に下枠５と接続する床側接続部（図示せず）とが設けられている。
【００２８】
防煙垂壁用ユニットＵを構成する下枠５は、例えばアルミニウム等の金属を材料として構成されており、壁構成部材６を囲む枠体の一部として機能するものである。下枠５は、図２から図５に示されるように、２つの側板５１、５１と、側板５１、５１間の中間板５２とで基本的に構成されている。すなわち、下枠５は、断面が、上方（天井側）と側方とに開口した略Ｕ字状をなしている。そして、下枠５の側板５１、５１には、突出部５１ａ、５１ａが対峙するかたちで内側に向けて突出している。突出部５１ａ、突出部５１ａ間の寸法は、壁構成部材６の厚み方向寸法よりも若干大きくなっている。これにより、下枠５は、突出部５１ａ、５１ａよりも下方に、吊り金具７、８の受け部材７２、８２が収容可能な空間Ｓ２が形成されている。
【００２９】
吊り金具７、８は、吊り子等とも称されるもので、図１又は図３、４に示されるように、掛吊部材７１、８１と、受け部材７２、８２と、連結棒７３、８３とを有して構成されている。掛吊部材７１、８１、受け部材７２、８２及び連結棒７３、８３は、この実施例では金属製である。吊り金具７と吊り金具８との違いは、吊り金具７では、掛吊部材７１、受け部材７２が連結棒７３と接続した位置から専ら一方に向けて突出している部位を有するのに対し、吊り金具８では、掛吊部材８１、受け部材８２が連結棒８３と接続した位置から双方に向けて突出している部位を有する点である。
【００３０】
掛吊部材７１、８１は、例えば板状の部材であり、連結棒７３、８３の一方端に螺合のかたちで装着されて、固定部材２の収容空間Ｓに例えば固定部材２の軸方向から挿入され、突出部２１１ａ、２１１ａ上に載置されることで、固定部材２に取り付けられる。これにより、防煙垂壁用ユニットＵは、固定部材２との組み合わせ時に、両端が吊り金具７の連結棒７３、８３の径方向寸法よりも引っ込んだ状態で固定部材２に組み付けられることとなる。
【００３１】
受け部材８２は、受け板８２１及びこの受け板８２１の短手方向の両側から上方に延びる側板８２２、８２２から構成されて、断面が略Ｕ字状をなしている。受け部材７２も、図示しないが、受け板及びこの受け板の短手方向の両側から上方に延びる２つの側板から構成されて、断面が略Ｕ字状をなしている。これにより、受け部材７２、８２にて、壁構成部材６について、その下端部を下方から受けることができる。そして、連結棒７３、８３の下端にある図示しない頭部に工具を差し込む等して、連結棒７３、８を所定方向に回転させることで、掛吊部材７１、８１の固定部材２への取り付け状態を強めたり緩めたりする調整をすることが可能である。
【００３２】
壁構成部材６は、図２、図５、図６及び図７に示されるように、２つの導光板６１、６２と、第１の光拡散シート６３と、第２の光拡散シート６４、６５とを有して構成されている。
【００３３】
導光板６１、６２は、透光性を有する透明樹脂（例えば、アクリル樹脂やポーカネート樹脂）で形成された肉厚の薄い矩形状の板状体であり、従来と同じ規格の基体３に既存のガラス製の導光板と交換するかたちで装着することができるように、各導光板６１、６２の各厚みは、１つの導光板を用いる場合の当該導光板の厚みよりも半分以下となっているのが好ましい。各導光板６１、６２の厚みは、例えば３ｍｍとなっている。導光板６１、６２は、前記アクリル樹脂を示すように、この実施例では、建築基準法施行令第１０８条の２で定める不燃材でなくても良い。また、導光板６１、６２の材料としては、ガラスであっても、従来よりも軽量化が図られ、落下して床面に当たって割れて飛散することが防止されるものであれば、その使用を妨げない。
【００３４】
そして、導光板６１と導光板６２とは層状に重ね合わされた構成となっており、導光板６１、６２の他方の導光板６２、６１と対峙する面（基体３に装着時に対峙する立面）６１ａ、６２ａは、特に図６に示されるように、シルク印刷により複数のドットを有する加工が施されて、他方の導光板６２、６１側に突出した複数の凸部６１１、６２１が形成されている。すなわち、導光板６１と導光板６２の相互に対峙する面６１ａ、６２ａには、凸部６１１、６２１がある部位と凸部６１１、６２１がない部位とがある。なお、凸部６１１同士の間隔、凸部６２１同士の間隔は、ＬＥＤ光源１０に近い位置（基体３側）から、ＬＥＤ光源１０から遠い位置（下枠５側）に向かうに従い徐々に小さくなっている。または、凸部６１１の大きさ、凸部６２１の大きさは、ＬＥＤ光源１０に近い位置（基体３側）から、ＬＥＤ光源１０から遠い位置（下枠５側）に向かうに従い徐々に大きくなっている。そして、凸部６１１同士の間隔、凸部６２１同士の間隔と凸部６１１の大きさ、凸部６２１の大きさとについて上記の双方を用いてもよい。
【００３５】
これにより、導光板６１と導光板６２とは、図７に示されるように、導光板６１、６２の対峙する面６１ａ，６２ａのうち凸部６１１、６２１がある部位では、ＬＥＤ発光体１１から導光板６１、６２内を通過してきた光を凸部６１１、６２１にて導光板６１、６２内に向けて乱反射させることができる。また、導光板６１と導光板６２とは、図８に示されるように、導光板６１、６２の対峙する面６１ａ，６２ａのうち凸部６１１、６２１がない部位では、導光板６１、６２内を通過してきた光を導光板６１、６２外に向けて射出させることができる。なお、導光板６１、６２の他方の導光板６２、６１と対峙する面に、シルク印刷により複数のドットを有する加工を施すことで、導光板６１、６２の対峙する面６１ａ，６２ａに乱反射を生じさせるとして説明してきたが、光の導光板６１、６２内への乱反射と光の導光板６１、６２外への射出の双方を可能とするものであれば、必ずしもこれに限定されない。
【００３６】
導光板６１、６２の間に第１の光拡散シート６３が介在されている。第１の光拡散シート６３は、肉厚の薄いものであり、図９に示されるように、一方の導光板６１、６２の対峙する面６１ａ，６２ａから射出されたた光を他方の導光板６２、６１に向けて通すことができる透光性を有すると共に、当該第１の光拡散シート６３を通る間に光を拡散することができるものとなっている。第１の光拡散シート６３は、導光板６１、６２側の面が導光板６１、６２で全面的に覆われ、且つ上下及び側方は枠体で囲まれることから、建築基準法施行令第１０８条の２で定める不燃材でなくても良い。この実施例では、第１の光拡散シート６３は、図６に示されるように、２つの表面光拡散層６３ａ、６３ａと、これらの表面光拡散層６３ａ、６３ａ間に介在させたポリエステル層６３ｂとで、三層構造となっている。すなわち、第１の光拡散シート６３は、可視光に対し透明性が低い、或いは半透明のものとなっており、例えば可視光の透過率が３０パーセントから６０パーセントの範囲となっている。そして、第１の光拡散シート６３は、導光板６１、６２の対峙する面６１ａ、６２ｂの双方の全体を覆うかたちで配置されている。
【００３７】
これにより、導光板６１、６２の対峙する面６１ａ，６２ａから射出された光が導光板６１、６２の対峙する面６１ａ，６２ａの凸部６１１、６２１により反射される光よりも少なくても、第１の光拡散シート６３を通る間に光が拡散されつつ、他方の導光板６２、６１内に入射されるので、ＬＥＤ発光体１１が一列でも光量を確保することが可能である。
【００３８】
第２の光拡散シート６４、６５は、透光性及び光反射性の双方を有し、更に不燃性に対する適合が認められているもので、例えばシリコン樹脂を表面に塗布する等してして耐熱処理を施したガラスグロスのシートである。このように、第２の光拡散シート６４、６５がガラスクロスシートの場合には、透明な短ガラス繊維で形成されているので、透光性、光拡散性を有すると共に、光反射性も与えられたものとなる。なお、透光性及び光反射性の双方を有し、更に不燃性に対する適合が認められるものであれば、前記ガラスクロスシートに限定されない。
【００３９】
これにより、図７、図８に示されるように、ＬＥＤ発光体１１から導光板６１、６２内を通過してきた光を、その一部を導光板６１、６２内に反射し、その一部を当該第２の光拡散シート６４、６５内を通過する際に拡散させつつ、壁構成部材６の立面から側方に向けて射出させることができる。
【００４０】
そして、第２の光拡散シート６４、６５は、建築基準法施行令第１０８条の２で定める不燃材に該当する有色且つ多色の塗料又は顔料により、避難経路等の案内を表示するピクトグラム等の記号や和文、英文字等の文字の、単独若しくはこれらの組み合わせから成るサイン、その他の情報として機能する表示や、絵、図形、模様等の装飾として機能する表示が施されている。この実施例では、第２の光拡散シート６４に施された表示と、第２の光拡散シート６５に施された表示とが異なっている。
【００４１】
このような壁構成部材６の構成としたことにより、導光板６１、６２の上方から導光板６１、６２内に入射したＬＥＤ発光部１１の光が、各導光板６１、６２内を図７に示されるように、対峙する面６１ａ、６２ａの凸部６１１、６２１での乱反射、第２の光拡散シート６４、６５での反射且つ拡散しつつ透過することで、壁構成部材６の外側の立面ひいては第２の光拡散シート６４、６５を、全体的に光のむらを生ずることなく発光させることができる。しかも、図８及び図９に示されるように、導光板６１、６２の間に配置された第１の光拡散シート６３を拡散しつつ通過して、導光板６１から導光板６２に、又は、導光板６１から導光板６２に光が入射するので、ＬＥＤ発光体１１が一列でも、導光板６１、導光板６２の対峙する面６１ａ、６２ａとは反対側を発光させるための光量として充分である。ＬＥＤ発光体１１の列は、一列であれば直線状であることに限定されない。
【００４２】
一方で、２つで用いる導光板６１、６２は、上記したように、従来の単体で用いる導光板よりも肉厚が薄いところ、ＬＥＤ発光体１１が点灯していないときには、導光板６１をその外側の立面側から見た場合に導光板６２の第２の光拡散シート６５に施された表示が導光板６１に映り込み、また導光板６２をその外側の立面側から見た場合に導光板６１の第１の光拡散シート６４に施された表示が導光板６１に映り込む現象が生ずる。
【００４３】
ところが、ＬＥＤ発光体１１が点灯しているときには、導光板６１をその外側の立面側から見た場合でも、導光板６２をその外側の立面側から見た場合でも上記のような映り込みの現象は生じない。ＬＥＤ発光体１１が点灯しているときと、ＬＥＤ発光体１１が点灯していないときとで現象に差異がある。このような映り込みの現象の発生の防止は、第１の光拡散シート６３が介在することによるものである。
【００４４】
すなわち、導光板６１、６２の間に第１の光拡散シート６３が介在することから、導光板６１、６２の間に何も介在していない場合よりも、一方の導光板６１、６２から他方の導光板６２、６１に入る光量は減衰したものとなる。よって、ＬＥＤ発光体１１から射出された後、導光板６１、６２の対峙する面６１ａ、６２ａの凸部６１１、６２１で反射して第２の光拡散シート６４、６５がある立面から射出される光の光量を、第１の光拡散シート６３を通過して一方の導光板６１、６２から他方の導光板６２、６１に入射して第２の光拡散シート６４、６４がある立面から射出される光の光量よりも勝ったものとすることができる。
【００４５】
更に、凸部６１１、６１２を有することにより、導光板６１、６２の対峙した面６１ａ、６２ａで、導光板６１、６２の外側の立面を見る者に向けての光の乱反射も生じている。
【００４６】
しかるに、ＬＥＤ発光体１１が点灯しているときの上記現象を利用して、第２の光拡散シート６４、６５に避難経路等の案内を表示するピクトグラム等の記号や和文、英文字等の文字の、単独若しくはこれらの組み合わせから成るサイン、その他の情報として機能する表示や、絵、図形、模様等の装飾として機能する表示が施されている場合に、かかる表示を見やすくすることができると共に、第２の光拡散シート６４と第２の光拡散シート６５とで異なる表示が施されていても、相互に裏映りして見難くなることも防止することができる。
【００４７】
その一方で、導光板６１、６２は、防煙垂壁１の最も外周側となる周囲を不燃材でなる基体３、側枠４、４、下枠５で囲まれ、且つ壁構成部材６の外側となる立面が不燃性を有する第２の光拡散シート６４、６５で全面的に覆われているので、アクリル等の建築基準法施行令第１０８条の２で定める不燃材以外の材料としても、防煙垂壁用ユニットＵないし防煙垂壁１としては不燃性についての適合が認められる。
【符号の説明】
【００４８】
１  防煙垂壁
２  固定部材
３  基体
４  側枠
５  下枠
６  壁構成部材
６１  導光板
６１ａ  対峙する面
６１１  凸部
６１  導光板
６２ａ  対峙する面
６２１  凸部
６３  第１の光拡散シート
６４、６５  第２の光拡散シート
１１  ＬＥＤ発光体
Ｕ  防煙垂壁用ユニット
【図１】
2020195603.tif 000003
【図２】
2020195603.tif 000004
【図３】
2020195603.tif 000005
【図４】
2020195603.tif 000006
【図５】
2020195603.tif 000007
【図６】
2020195603.tif 000008
【図７】
2020195603.tif 000009
【図８】
2020195603.tif 000010
【図９】
2020195603.tif 000011